(57)【特許請求の範囲】
【請求項１】
移動可能に構成された蓄電装置からの電力を負荷へと供給可能な電力供給システムを具備する建築物であって、
前記建築物は住宅であり、
前記蓄電装置は、外壁に沿うように形成される蓄電装置収納空間に配置され、
前記蓄電装置収納空間の空気は、前記外壁に形成された貫通孔及び当該貫通孔に設けられた送風機によって外気と換気可能とされ、
前記蓄電装置収納空間と他の空間とを仕切る壁面には、防音材が設けられ、
前記蓄電装置収納空間は、他の収納空間の内部に、第一の扉によって仕切られた状態で配置され、
前記他の収納空間は、第二の扉によって居住空間と仕切られた状態で配置され、
前記建築物は、前記防音材を介して前記蓄電装置収納空間の天井に固定された取付具、及び前記取付具と前記蓄電装置とを弛みがない状態で連結する連結具から形成されて前記蓄電装置と前記蓄電装置収納空間の天井とを連結する連結部材を具備する、
建築物。
【請求項２】
前記他の収納空間は階段の下に配置された階段下収納である、
請求項１に記載の建築物。
【請求項３】
前記階段は折り返し階段であり、
前記蓄電装置収納空間は、前記折り返し階段の踊り場の下方に配置された、
請求項２に記載の建築物。
【発明の詳細な説明】
【技術分野】
【０００１】
本発明は、蓄電装置からの電力を負荷へと供給可能な電力供給システムを具備する建築物の技術に関し、より詳細には、当該蓄電装置の配置に関する。
【背景技術】
【０００２】
従来、蓄電装置を備え、商用電源が停電した場合には当該蓄電装置から負荷に電力を供給することが可能な電力供給システムの技術は公知となっている。例えば、特許文献１に記載の如くである。
【０００３】
特許文献１に記載の電力供給システムでは、商用電源が停電し、当該商用電源から負荷への電力の供給が絶たれた場合、商用電源に代えて蓄電装置に充電された電力を当該負荷に供給することができる。また、商用電源の停電が解消された（復旧した）場合、商用電源からの電力を負荷だけでなく蓄電装置にも供給することによって当該蓄電装置を再び充電することができる。
【０００４】
しかし、特許文献１に記載の如き電力供給システムを具備する建築物においては、運転中に熱及び騒音を発する蓄電装置をどのような場所に配置するかが問題となる。
【０００５】
すなわち、蓄電装置が発する騒音が建築物内の人に聞こえないように、当該蓄電装置を建築物内の密閉された空間に配置すると、当該蓄電装置が高温になり、当該蓄電装置に故障や不具合が発生するおそれがある。
一方、蓄電装置が高温にならないように、当該蓄電装置を建築物内の風通しの良い場所（例えば、広く開放された室内等）に配置すると、当該蓄電装置が発する騒音によって建築物内の人に不快感を与えるおそれがある。
【先行技術文献】
【特許文献】
【０００６】
【特許文献１】特開２０１０−２８４０６０号公報
【発明の概要】
【発明が解決しようとする課題】
【０００７】
本発明は、以上の如き状況に鑑みてなされたものであり、その解決しようとする課題は、蓄電装置が高温になるのを防止するとともに、当該蓄電装置が発する騒音を人に聞こえ難くすることができる建築物を提供するものである。
【課題を解決するための手段】
【０００８】
本発明の解決しようとする課題は以上の如くであり、次にこの課題を解決するための手段を説明する。
【０００９】
即ち、請求項１においては、移動可能に構成された蓄電装置からの電力を負荷へと供給可能な電力供給システムを具備する建築物であって、前記建築物は住宅であり、前記蓄電装置は、外壁に沿うように形成される蓄電装置収納空間に配置され、前記蓄電装置収納空間の空気は、前記外壁に形成された貫通孔及び当該貫通孔に設けられた送風機によって外気と換気可能とされ、前記蓄電装置収納空間と他の空間とを仕切る壁面には、防音材が設けられ、前記蓄電装置収納空間は、他の収納空間の内部に、第一の扉によって仕切られた状態で配置され、前記他の収納空間は、第二の扉によって居住空間と仕切られた状態で配置され、前記建築物は、前記防音材を介して前記蓄電装置収納空間の天井に固定された取付具、及び前記取付具と前記蓄電装置とを弛みがない状態で連結する連結具から形成されて前記蓄電装置と前記蓄電装置収納空間の天井とを連結する連結部材を具備するものである。
【００１０】
請求項２においては、前記他の収納空間は階段の下に配置された階段下収納であるものである。
【００１１】
請求項３においては、前記階段は折り返し階段であり、前記蓄電装置収納空間は、前記折り返し階段の踊り場の下方に配置されたものである。
【発明の効果】
【００１３】
本発明の効果として、以下に示すような効果を奏する。
【００１４】
即ち、本発明においては、蓄電装置が高温になるのを防止することができる。また、当該蓄電装置が発する騒音を建築物内の人に聞こえ難くすることで、当該人に不快感を与えるのを防止することができる。
【図面の簡単な説明】
【００１８】
【図１】本発明の第一実施形態に係る住宅の１階部分を示した平面図。
【図２】住宅が具備する電力供給システムを示したブロック図。
【図３】（ａ）折り返し階段を示した平面図。（ｂ）図３（ａ）におけるＡ−Ａ断面を示した図。
【図４】（ａ）図３（ａ）におけるＢ−Ｂ断面を示した図。（ｂ）同じく、Ｂ−Ｂ断面の一部拡大図。
【図５】本発明の第二実施形態に係る住宅の１階部分を示した平面図。
【図６】蓄電装置収納空間を示した側面断面図。
【図７】（ａ）同じく、正面断面図。（ｂ）同じく、平面断面図。
【発明を実施するための形態】
【００１９】
まず、図１を用いて、本発明に係る建築物の第一実施形態に係る住宅１００（１階部分のみ）の全体構成について説明する。なお、本発明は住宅に限るものではなく、オフィスビル、駅舎、ホテル等の種々の建築物に広く適用することが可能である。
【００２０】
住宅１００の１階には、玄関１０１、玄関ホール１０２、廊下１０３、トイレ１０４、折り返し階段１０５、階段下収納１０６、デッキ１０７及び車庫１０８が配置される。
【００２１】
住宅１００の北東部分には玄関１０１が配置され、当該玄関１０１の南西側には玄関ホール１０２が配置される。玄関ホール１０２の西側には、西方向に向かって廊下１０３が延設される。廊下１０３の北側には、東から西に向かって順にトイレ１０４及び折り返し階段１０５が住宅１００の外壁１００ａに沿うように配置される。また、折り返し階段１０５の下方には階段下収納１０６が配置される。
【００２２】
階段下収納１０６内には、後述する蓄電装置収納空間１１０が配置され、さらに当該蓄電装置収納空間１１０内には、後述する蓄電装置４０が配置される。
【００２３】
廊下１０３の西端（住宅１００の南西部分）には、デッキ１０７が配置される。デッキ１０７の東側（住宅１００の南東部分）には、車庫１０８が配置される。
【００２４】
次に、図２を用いて、住宅１００が具備する電力供給システム１について説明する。
【００２５】
電力供給システム１は、住宅等に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２６】
発電部１０は、太陽光を利用して発電する装置であり、太陽電池パネル等により構成される。発電部１０は、例えば、住宅の屋根の上に設置される。
【００２７】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２８】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００２９】
充放電用コンセント群３１は、充電用コンセント３２、ＬＡＮ用コンセント３３及び放電用コンセント３４を具備する。
【００３０】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００３１】
負荷５０は、住宅内において電力が消費される電化製品等であり、特に、停電時（非常時）においても電力を供給する必要がある「特定の負荷」である。
本実施形態においては、負荷５０（特定の負荷）として、リビングに設けられるリビングコンセント５１、冷蔵庫５２、及びリビングに設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００３２】
その他の負荷８０は、住宅内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング以外に設けられるコンセントや照明等が挙げられる。
その他の負荷８０は、分電盤３０に接続される。
【００３３】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３４】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３５】
次に、図１を用いて、上述の如く構成された電力供給システム１において、商用電源９０からの電力が問題なく供給される場合の電力の供給態様について説明する。
【００３６】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３７】
この状態においては、発電部１０において発電された直流電力は、パワーコンディショナ２０において交流電力に変換され、分電盤３０に供給される。また、商用電源９０からの交流電力も分電盤３０に供給される。
【００３８】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００３９】
また、発電部１０及び商用電源９０から分電盤３０に供給された電力は、その他の負荷８０に供給される。すなわち、居住者は、発電部１０及び商用電源９０からの電力によって、リビング以外に設けられるコンセントに接続された機器を利用したり、リビング以外の照明等を点灯させたりすることができる。
【００４０】
また、その他の負荷８０で消費する電力が、発電部１０からの電力だけで十分まかなえる場合は、商用電源９０からの電力を用いないようにすることも可能である。これによって、電力料金を節約することができる。
【００４１】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００４２】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００４３】
次に、停電時（商用電源９０からの電力が供給不能な場合）における電力の供給態様について説明する。
【００４４】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４５】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４６】
この状態においては、発電部１０において発電された電力は、パワーコンディショナ２０、非常用コンセント２１及びケーブル４１を介して蓄電装置４０に充電される。
【００４７】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４８】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００４９】
次に、図１から図４までを用いて、住宅１００における蓄電装置４０の配置に関する構成について説明する。
なお、図３及び図４においては、便宜上、住宅１００の内側から外壁１００ａに向かう方向を前方と、住宅１００の内側から外壁１００ａに向かって左側を左方と、それぞれ定義して説明を行う（図中の矢印参照）。
【００５０】
図１に示すように、蓄電装置４０は、折り返し階段１０５の下の階段下収納１０６の内部に配置された蓄電装置収納空間１１０に配置される。
【００５１】
図３（ａ）に示すように、折り返し階段１０５は、１階側の下部階段１０５ａと、２階側の上部階段１０５ｂと、当該下部階段１０５ａ及び上部階段１０５ｂの間に形成される踊り場１０５ｃと、当該下部階段１０５ａ、踊り場１０５ｃ及び上部階段１０５ｂに亘って設けられる手すり１０５ｄと、を具備する。
【００５２】
図４（ａ）に示すように、階段下収納１０６は、上部階段１０５ｂ及び踊り場１０５ｃの下方に配置される。階段下収納１０６の後部には、廊下１０３側から開閉可能な階段下収納扉１０６ａが設けられ、当該階段下収納１０６と廊下１０３との空間が仕切られる。
【００５３】
階段下収納１０６のさらに内部、より詳細には階段下収納１０６の前部には、蓄電装置収納空間１１０が配置される。蓄電装置収納空間１１０は、図３（ｂ）及び図４に示すように、側壁１１１・１１１と、上部仕切壁１１２と、防音扉１１３と、外壁１００ａと、により仕切られた空間である。
【００５４】
側壁１１１・１１１は、蓄電装置収納空間１１０の左右両側方において、当該蓄電装置収納空間１１０と他の空間（例えば、トイレ１０４等）とを仕切るものである。
上部仕切壁１１２は、蓄電装置収納空間１１０の上方において、当該蓄電装置収納空間１１０と他の空間（例えば、折り返し階段１０５のすぐ下方の空間等）とを仕切り、蓄電装置収納空間１１０の天井となるものである。
側壁１１１・１１１及び上部仕切壁１１２の蓄電装置収納空間１１０側の壁面（内側面）には、防音材１１４が設けられる。
また、右方に配置される側壁１１１には、非常用コンセント２１及び充放電用コンセント群３１が互いに近接するように一箇所に集中して配置される。
【００５５】
蓄電装置収納空間１１０の後部には、後方から開閉可能な防音扉１１３が設けられ、当該蓄電装置収納空間１１０と階段下収納１０６の後部との空間が仕切られる。防音扉１１３は、適宜防音材が設けられた（又は、防音効果のある材料を用いて形成された）扉である。
【００５６】
住宅１００の外壁１００ａのうち、蓄電装置収納空間１１０と対向する部分には、当該蓄電装置収納空間１１０と住宅１００の外部とを連通する貫通孔１１５・１１５が形成される。
本実施形態においては、上下に並ぶように２つの貫通孔１１５・１１５が形成されるものとするが、本発明はその数及び位置を限定するものではない。
【００５７】
貫通孔１１５・１１５の外側端部には、防音カバー１１６・１１６がそれぞれ設けられる。また、上方に配置された防音カバー１１６内には、送風機１１７が設けられる。当該送風機１１７を駆動させることにより、下方に配置された貫通孔１１５から外気を蓄電装置収納空間１１０内へと取り込むとともに、上方に配置された貫通孔１１５から蓄電装置収納空間１１０内の空気を外部へと排出して、当該蓄電装置収納空間１１０内の空気を換気することができる。これによって、蓄電装置４０が発する熱によって蓄電装置収納空間１１０内の空気の温度が上昇するのを防止することができる。また、当該空気の温度の上昇を防止することで、蓄電装置４０の冷却効果を高め、当該蓄電装置４０が高温になるのを防止することができる。さらに、蓄電装置４０は一定の温度以上になると作動（充電及び放電等）を停止するため、上記の如く蓄電装置４０が高温になるのを防止することで、当該蓄電装置４０の作動が停止するのを防止することもできる。
【００５８】
なお、防音カバー１１６及び送風機１１７は、貫通孔１１５の内側端部や中途部に設けることも可能である。
また、送風機１１７は、下方に配置された防音カバー１１６内や下方に配置された貫通孔１１５に設けることも可能である。
また、送風機１１７は蓄電装置収納空間１１０内の温度を検知して、当該検知した温度が設定温度以上の場合（例えば、蓄電装置収納空間１１０内の温度が３５度以上になった場合）に駆動される。また、蓄電装置４０に備えられる冷却ファンと連動するように送風機１１７と接続し、蓄電装置４０を冷却する構成としてもよい。
【００５９】
このように構成された蓄電装置収納空間１１０内に蓄電装置４０が配置され、ケーブル４１・４２・４３及びＬＡＮケーブル４４を介して非常用コンセント２１及び充放電用コンセント群３１と接続される（図２参照）。蓄電装置４０の上部には、当該蓄電装置４０を移動させる際等に把持することが可能なハンドル４０ａが形成される。
【００６０】
図４（ｂ）に示すように、蓄電装置４０のハンドル４０ａと上部仕切壁１１２とは、連結部材としての取付金具１１９及びワイヤー１２０を介して連結される。
より詳細には、上部仕切壁１１２の蓄電装置収納空間１１０側の壁面（内側面）には、前後方向に亘って図示せぬ桟が設けられ、当該桟に取付金具１１９が固定される。取付金具１１９は防音材１１４の下面に配置され、釘等の取付部材によって前記桟に対して固定される。当該取付金具１１９と蓄電装置４０のハンドル４０ａとを連結するようにワイヤー１２０が設けられる。この際、ワイヤー１２０は弛みがない状態で取付金具１１９とハンドル４０ａとを連結する。また、取付金具１１９は蓄電装置４０のハンドル４０ａの位置に合わせて前記桟に固定される。また、蓄電装置４０にハンドル４０ａが付設されていない場合には、蓄電装置４０全体をワイヤー１２０で縛る構成としてもよい。また、ワイヤー１２０の代わりにフック等を用いてもよい。
【００６１】
以上の如く、本実施形態に係る住宅１００は、蓄電装置４０からの電力を負荷５０へと供給可能な電力供給システム１を具備する住宅１００であって、蓄電装置４０は、外壁１００ａに沿うように形成される蓄電装置収納空間１１０に配置され、蓄電装置収納空間１１０の空気は、外壁１００ａに形成された貫通孔１１５及び当該貫通孔１１５に設けられた送風機１１７によって外気と換気可能とされ、蓄電装置収納空間１１０と他の空間とを仕切る壁面（側壁１１１・１１１、上部仕切壁１１２及び防音扉１１３）には、防音材（防音材１１４等）が設けられるものである。
【００６２】
このように構成することにより、蓄電装置４０が高温になるのを防止することができる。
すなわち、送風機１１７を駆動させることで、蓄電装置収納空間１１０内の空気を住宅１００の外部の空気（外気）と換気することができ、蓄電装置４０が発する熱によって蓄電装置収納空間１１０内の空気の温度が上昇するのを防止することができ、ひいては当該空気の温度が上昇することによって蓄電装置４０が高温になることを防止することができる。
また、蓄電装置４０が発する騒音を居住者に聞こえ難くすることで、居住者に不快感を与えるのを防止することができる。
すなわち、蓄電装置収納空間１１０と他の空間（より詳細には、住宅１００内の廊下１０３やトイレ１０４や居室等の他の空間）とを仕切る壁面に防音材１１４を設けることで、蓄電装置４０が発する騒音が住宅１００内に漏れ聞こえるのを防止することができ、ひいては居住者に不快感を与えるのを防止することができる。
【００６３】
なお、本発明において「蓄電装置収納空間と他の空間とを仕切る壁面」の「壁」とは、開閉不能に設けられる壁だけでなく、開閉可能な扉も含むものとする。また、本発明において、「壁面に防音部材を設ける」とは、空間を仕切る壁に防音材を設ける（例えば、壁の表面に防音材を貼り付ける）ことだけでなく、当該壁自身を防音効果のある材料で形成することも含むものとする。
【００６４】
また、住宅１００は、蓄電装置４０と蓄電装置収納空間１１０の天井（上部仕切壁１１２）とを連結する連結部材（取付金具１１９及びワイヤー１２０）を具備するものである。
【００６５】
このように構成することにより、蓄電装置４０の転倒を防止することができる。
すなわち、地震が発生した場合等においても、蓄電装置４０のハンドル４０ａが蓄電装置収納空間１１０の天井（上部仕切壁１１２）から吊り下げられるように支持されているため、当該蓄電装置４０の転倒を防止することができる。
なお、蓄電装置４０の下部には、当該蓄電装置４０が運搬し易いように車輪が設けてあるが、当該蓄電装置４０が蓄電装置収納空間１１０に配置される場合においては、当該車輪は図示せぬブレーキ機構や車輪の歯止め等によって勝手に転がらないように構成される。
【００６６】
また、蓄電装置収納空間１１０は、他の収納空間（階段下収納１０６）の内部に配置されるものである。
【００６７】
このように構成することにより、蓄電装置４０が発する騒音を、より居住者に聞こえ難くすることができる。
すなわち、壁面に防音材が設けられた蓄電装置収納空間１１０を、さらに他の収納空間（階段下収納１０６）内に配置することで、居住者の居住空間と蓄電装置４０とを二重の壁（扉）で仕切ることができ、当該蓄電装置４０が発する騒音を、より居住者の居住空間に聞こえ難くすることができる。
【００６８】
また、本実施形態における他の収納空間は、階段（折り返し階段１０５）の下に配置された階段下収納１０６である。
【００６９】
このように構成することにより、階段（折り返し階段１０５）下の空間を有効利用しつつ、蓄電装置４０が発する騒音が居住者に聞こえ難い位置に蓄電装置４０を配置することができる。
すなわち、階段の下には居住者の居住空間としては利用し難い空間があるため、当該空間を階段下収納１０６として有効利用することができる。また、通常、階段下収納１０６の付近には居住者が長時間滞在するような空間（リビングやダイニング等）が存在せず、本実施形態の如く、居住者が移動する際に利用する廊下１０３や折り返し階段１０５が存在するだけである。このように、付近に居住者が長時間滞在することがない階段下収納１０６に蓄電装置収納空間１１０を配置することで、蓄電装置４０の騒音が居住者に不快感を与えるのをより効果的に防止することができる。
【００７０】
また、蓄電装置収納空間１１０の壁面（側壁１１１）には、非常用コンセント２１及び充放電用コンセント群３１が一箇所に集中するように配置されている。このように非常用コンセント２１及び充放電用コンセント群３１を配置することにより、蓄電装置４０と当該非常用コンセント２１及び充放電用コンセント群３１とを接続する作業を効率良く行うことができる。
【００７１】
以下では、本発明の第二実施形態について説明する。
まず、図５を用いて、本発明の第二実施形態に係る住宅２００（１階部分のみ）の全体構成について説明する。
【００７２】
住宅２００の１階には、玄関２０１、玄関ホール２０２、リビング２０３、ダイニング２０４、キッチン２０５、折り返し階段２０６、階段下収納２０７、廊下２０８、トイレ２０９、洗面室２１０、洗面室収納２１１及び浴室２１２が配置される。
【００７３】
住宅２００の北東部分には玄関２０１が配置され、当該玄関２０１の西側には玄関ホール２０２が配置される。玄関ホール２０２の南側にはリビング２０３が配置され、当該リビング２０３の西側にはダイニング２０４が配置され、当該ダイニング２０４の西側（住宅２００の南西部分）にはキッチン２０５が配置される。
【００７４】
ダイニング２０４の北側（住宅２００の略中央部分）には、折り返し階段２０６が配置される。折り返し階段２０６の下方には、階段下収納２０７が配置される。
【００７５】
玄関ホール２０２の西側には廊下２０８が配置され、当該廊下２０８の北側にはトイレ２０９が配置される。
【００７６】
廊下２０８の西側には洗面室２１０が配置され、当該洗面室２１０の北東部分には住宅２００の外壁２００ａに沿うように洗面室収納２１１が配置される。洗面室収納２１１内には、後述する蓄電装置収納空間２２０が配置され、さらに当該蓄電装置収納空間２２０内には、蓄電装置４０が配置される。
【００７７】
洗面室２１０の西側（住宅２００の北西部分）には、浴室２１２が配置される。
【００７８】
住宅２００が具備する電力供給システム１の構成は、第一実施形態に係る住宅１００が具備する電力供給システム１と同様である（図２参照）ため、本実施形態においては第一実施形態と同じ符号を用いて、詳細な説明を省略する。
【００７９】
次に、図５から図７までを用いて、住宅２００における蓄電装置４０の配置に関する構成について説明する。
なお、図６及び図７においては、便宜上、住宅２００の内側から外壁２００ａに向かう方向を前方と、住宅２００の内側から外壁２００ａに向かって左側を左方と、それぞれ定義して説明を行う（図中の矢印参照）。
【００８０】
図５から図７までに示すように、蓄電装置４０は、洗面室２１０内の洗面室収納２１１の内部に配置された蓄電装置収納空間２２０に配置される。
【００８１】
図６及び図７に示すように、洗面室収納２１１は、住宅２００の外壁２００ａに沿うように配置される。洗面室収納２１１の後部には、洗面室２１０側から開閉可能な洗面室収納扉２１１ａが設けられ、当該洗面室収納２１１と洗面室２１０との空間が仕切られる。
【００８２】
洗面室収納２１１のさらに内部、より詳細には、洗面室収納２１１の下部には、蓄電装置収納空間２２０が配置される。蓄電装置収納空間２２０は、側壁２２１・２２１と、上部仕切壁２２２と、防音扉２２３と、外壁２００ａと、により仕切られた空間である。
【００８３】
側壁２２１・２２１は、蓄電装置収納空間２２０の左右両側方において、当該蓄電装置収納空間２２０と他の空間（例えば、トイレ２０９や洗面室２１０）とを仕切るものである。
上部仕切壁２２２は、蓄電装置収納空間２２０の上方において、当該蓄電装置収納空間２２０と他の空間（洗面室収納２１１のうち、蓄電装置収納空間２２０以外の空間）とを仕切り、蓄電装置収納空間２２０の天井となるものである。
側壁２２１・２２１及び上部仕切壁２２２の蓄電装置収納空間２２０側の壁面（内側面）には、防音材２２４が設けられる。
また、左方に配置される側壁２２１には、非常用コンセント２１及び充放電用コンセント群３１が互いに近接するように一箇所に集中して配置される。
【００８４】
蓄電装置収納空間２２０の後部には、後方から開閉可能な防音扉２２３が設けられ、当該蓄電装置収納空間２２０と洗面室収納２１１との空間が仕切られる。防音扉２２３は、適宜防音材が設けられた（又は、防音効果のある材料を用いて形成された）扉である。
【００８５】
住宅２００の外壁２００ａのうち、蓄電装置収納空間２２０と対向する部分には、当該蓄電装置収納空間２２０と住宅２００の外部とを連通する貫通孔２２５・２２５が形成される。
本実施形態においては、上下に並ぶように２つの貫通孔２２５・２２５が形成されるものとするが、本発明はその数及び位置を限定するものではない。
【００８６】
貫通孔２２５・２２５の外側端部には、防音カバー２２６・２２６がそれぞれ設けられる。また、上方に配置された防音カバー２２６内には、送風機２２７が設けられる。当該送風機２２７を駆動させることにより、下方に配置された貫通孔２２５から外気を蓄電装置収納空間２２０内へと取り込むとともに、上方に配置された貫通孔２２５から蓄電装置収納空間２２０内の空気を外部へと排出して、当該蓄電装置収納空間２２０内の空気を換気することができる。
【００８７】
このように構成された蓄電装置収納空間２２０内に蓄電装置４０が配置され、ケーブル４１・４２・４３及びＬＡＮケーブル４４を介して非常用コンセント２１及び充放電用コンセント群３１と接続される（図２参照）。
【００８８】
また、本実施形態においては図示及び説明を省略するが、第一実施形態と同様に、蓄電装置４０のハンドル４０ａと上部仕切壁２２２とは、連結部材としての取付金具及びワイヤー（第一実施形態に係る取付金具１１９及びワイヤー１２０を参照）を介して連結される。
【００８９】
本実施形態においては、蓄電装置収納空間２２０は、他の収納空間である洗面室収納２１１の内部に配置されるものである。
【００９０】
このように構成することにより、蓄電装置４０が発する騒音を、より居住者に聞こえ難くすることができる。
すなわち、壁面に防音材が設けられた蓄電装置収納空間２２０を、さらに他の収納空間（洗面室収納２１１）内に配置することで、居住者の居住空間と蓄電装置４０とを二重の壁（扉）で仕切ることができ、当該蓄電装置４０が発する騒音を、より居住者の居住空間に聞こえ難くすることができる。
さらに、通常、洗面室２１０内には居住者が長時間滞在することがないため、当該洗面室２１０の洗面室収納２１１内に蓄電装置収納空間１１０を配置することで、蓄電装置４０の騒音が居住者に不快感を与えるのをより効果的に防止することができる。
【符号の説明】
【００９１】
１        電力供給システム
４０      蓄電装置
５０      負荷
１００    住宅
１００ａ  外壁
１０５    折り返し階段
１０６    階段下収納
１１０    蓄電装置収納空間
１１１    側壁
１１２    上部仕切壁
１１３    防音扉
１１４    防音材
１１５    貫通孔
１１７    送風機
１１９    取付金具
１２０    ワイヤー
【図１】
0006026732.tif 000002
【図２】
0006026732.tif 000003
【図３】
0006026732.tif 000004
【図４】
0006026732.tif 000005
【図５】
0006026732.tif 000006
【図６】
0006026732.tif 000007
【図７】
0006026732.tif 000008